(57)【特許請求の範囲】
【請求項１】
通信機器等を収納するためのラック内に設置され、筐体に光ケーブルを固定するためのケーブルクランプと、前記光ケーブルのテンションメンバを固定するためのテンションメンバクランプと、光ファイバ心線の融着部を収納する融着トレイとを備えたスプライスユニットにおいて、前記筐体の背面側左右２隅の背板及び側板を開口して光ファイバの引き込み口を形成し、前記ケーブルクランプと前記テンションメンバクランプとをパネルに配設し、該パネルを前記引き込み口の周縁の外側に縦に立てた状態又は前記引き込み口の内側に横に倒した状態で設け、前記光ケーブルの引き込み方向を変更可能にしたことを特徴とするスプライスユニット。
【発明の詳細な説明】
【０００１】
【発明が属する技術分野】
本発明は、通信機器等を収納するためのラック内に設置され、光ファイバの接続に使用されるスプライスユニットの構造に関する。
【０００２】
【従来の技術】
従来のスプライスユニット２１は、図６に示すように筐体２２の背板２２ｂに光ケーブル２４の導入孔２３が設けられ、導入孔２３の前方に光ケーブル２４を固定するためのケーブルクランプ２５が設けられ、ケーブルクランプ２５の前方に光ケーブル２４から延びるテンションメンバ２６を固定するためのテンションメンバクランプ２７が設けられ、ケーブルクランプ２５とテンションメンバクランプ２７の横側に光ファイバ心線２９の融着部と余長を収納するための融着トレイ３２が設けられ、筐体２２の前面パネル２２ｄは光コード３３を連結するためのコネクタ３６が設けられている。
【０００３】
【発明が解決しようとする課題】
しかしながら、ラックに設置された機器の配置によって光ケーブルをラックの側面から引き込まなければならなかったり、ラックの奥行き寸法の制限のため下側から引き込まなければならない場合があったが、筐体の背面からしか光ケーブルが引き込めなかったのでこれらに対応できないという問題があった。
【０００４】
【課題を解決するための手段】
上記従来のスプライスユニットの問題点に鑑み、本発明の目的は、光ケーブルの引き込み方向を自由に変更できるスプライスユニットを提供するもので、その構造は、通信機器等を収納するためのラック内に設置され、筐体に光ケーブルを固定するためのケーブルクランプと、光ケーブルのテンションメンバを固定するためのテンションメンバクランプと、光ファイバ心線の融着部を収納する融着トレイとを備えたスプライスユニットにおいて、筐体の背面側左右２隅の背板及び側板を開口して光ファイバの引き込み口を形成し、ケーブルクランプとテンションメンバクランプとをパネルに配設し、パネルを引き込み口の周縁の外側に縦に立てた状態又は引き込み口の内側に横に倒した状態で設け、光ケーブルの引き込み方向を変更可能にしたことである。
【０００５】
【発明の実施の形態】
筐体の背面側左右２隅の背板及び側板を開口して光ファイバの引き込み口を形成し、ケーブルクランプとテンションメンバクランプとをパネルに配設し、パネルを引き込み口の周縁の外側に縦に立てた状態又は引き込み口の内側に横に倒した状態で設け、光ケーブルの引き込み方向を変更可能にする。
【０００６】
【実施例】
本発明に係るスプライスユニットの一実施例を図１〜図４の添付図面に基づいて説明する。
【０００７】
スプライスユニット１は、通信機器等を収納するためのラック（図示せず）内に筐体２の左右側板２ａを固定して設置される。筐体２は、図１手前となる背面側左右２隅の背板２ｂと側板２ａが開口されて光ファイバの引き込み口３が形成されている。
【０００８】
光ケーブル４を固定するためのケーブルクランプ５と光ケーブル４から延びるテンションメンバ６を固定するためのテンションメンバクランプ７は引き込み口３より僅かに大きい矩形状のパネル８に固定されている。ケーブルクランプ５を固定するネジ間のピッチとテンションメンバクランプ７を固定するネジ間のピッチは同じなので９０゜回転させて取り付けることも可能である。パネル８の対角する両隅には光ファイバ４，９を保護するための矩形板状のカバー８ａを固定するための支持部８ｂが形成されている。
【０００９】
ケーブルクランプ５は受け部材５ａと押さえ部材５ｂの波形面５ｃを互いに対向させて突き合わせた形状であり、波形面５ｃで光ケーブル４を挟持し、左右端部のネジ５ｄを締め付けて固定する。また、テンションメンバクランプ７は基板部７ａに複数の円柱部７ｂが並設され、円柱部７ｂの略中央に貫通孔７ｃが形成され、この貫通孔７ｃに光ケーブル４から突出したテンションメンバ６を貫通させ、円柱部７ｂの先端から貫通孔７ｃに螺着されたネジ７ｄを締め付けることによりテンションメンバ６を固定する。
【００１０】
光ケーブル４をラックの下面側からスプライスユニット１に引き込む場合、図３（ａ）に示すようにパネル８は左右側板２ａに形成された左右何れかの引き込み口３の周縁の外側又は背板２ｂに形成された左右何れかの引き込み口３の周縁の外側に縦に立てた状態でネジにより固定する。パネル８には挿通孔８ｃが形成されているので必要に応じて光ファイバ心線９を挿通できるようになっている。また、背板２ｂにパネル８を固定する際にスプライスユニット１の下側にスプライスユニット１の奥行き寸法より大きいユニットが設置されている場合は図４に示すように延長部材１０を使用して固定することができる。
【００１１】
光ケーブル４をラックの背面側又は左右側面側からスプライスユニット１に引き込む場合、図３（ｂ）に示すようにパネル８は左右何れかの引き込み口３の周縁に横に倒した状態でパネル８の隅と筐体２の底板２ｃの隅と一致するように配置してネジにより固定する。
【００１２】
筐体２は内壁を前後方向にスライド自在にされたスライドケース１１が設けられ、この内部に光ファイバ心線９の融着部と余長を収納するための複数の融着トレイ１２が多段に積み重ねて配設されている。スライドケース１１の背面板１１ａには開口１１ｂが形成され、開口１１ｂの下縁にはスライドケース１１を前後にスライドさせる際に必要な長さの光ファイバ心線９や光コード１３を収納するためのフレキ管１４の一端が接続され、他端は連結部材１５を介してパネル８の端縁に固定されている。
【００１３】
フレキ管１４は一方向にのみ湾曲可能に形成されており、湾曲した際に外側となる側面は両側から突出した一対の弾性片が多数並設され、光ファイバ９，１３を押し込んでフレキ管１４に収納できるようになっている。パネル８は図１右側に取り付けられ、フレキ管１４は左側に設けられているが、パネル８を左側に取り付けた場合はフレキ管１４を一旦取り外し、右側に取り付ける。
【００１４】
光ケーブル４から引き出された光ファイバ心線９はフレキ管１４を通り、スライドケース１１内に引き込まれる。スライドケース１１を前後方向にスライドさせてもフレキ管１４が光ファイバ心線９の最小曲率半径を確保して変形するので光ファイバの損傷が防止されている。
【００１５】
スライドケース１１の前面板１１ｃには複数のコネクタ１６が設けられ、光コード１３の一端が接続されている。光コード１３の他端に引き出された光ファイバ心線９はフレキ管を通ってスライドケース内に引き込まれた光ファイバ心線９と融着され、融着部と余長が融着トレイ１２に収納されて保護される。
【００１６】
筐体２の前面パネル２ｄは開閉可能になっており、ラックの前面からスライドケース１１のコネクタ１６に光コード１３が接続できるようになっている。
【００１７】
尚、本実施例において、パネル８を縦に立てた状態で筐体２に取り付ける場合は、筐体２の外面に取り付けるようにしたが、図５に示すように筐体２の底板２ｃを一部切り欠き、筐体２の側板２ａ又は背板２ｂの内面にパネル８の支持部８ｂを固定するようにしてパネル８が筐体２の外側にはみ出さないように形成しても良い。
【００１８】
【発明の効果】
以上のように本発明に係るスプライスユニットは、通信機器等を収納するためのラック内に設置され、筐体に光ケーブルを固定するためのケーブルクランプと、光ケーブルのテンションメンバを固定するためのテンションメンバクランプと、光ファイバ心線の融着部を収納する融着トレイとを備えたスプライスユニットにおいて、筐体の背面側左右２隅の背板及び側板を開口して光ファイバの引き込み口を形成し、ケーブルクランプとテンションメンバクランプとをパネルに配設し、パネルを引き込み口の周縁の外側に縦に立てた状態又は引き込み口の内側に横に倒した状態で設け、光ケーブルの引き込み方向を変更可能にしたことにより、光ケーブルの引き込み方向を自由に変更でき、また、パネルを筐体の外側に縦に立てた状態で取り付けた場合は筐体内部を広く使用することができ、また、筐体からパネルを取り外してケーブルの固定ができるので作業性が良いという効果がある。
【図面の簡単な説明】
【図１】本発明に係るスプライスユニットを示す斜視図である。
【図２】本発明に係るパネルを示す斜視図である。
【図３】パネルの取り付け方法を示し、（ａ）はパネルを縦にして取り付ける場合の平面図であり、（ｂ）はパネルを横にして取り付ける場合の平面図である。
【図４】筐体に延長部材を介してパネルを取り付ける様子を示す側面図である。
【図５】本発明に係るスプライスユニットの変形実施例を示す平面図である。
【図６】従来のスプライスユニットを示す斜視図である。
【符号の説明】
１    スプライスユニット
２    筐体
２ａ  側板
２ｂ  背板
２ｃ  底板
２ｄ  前面パネル
３    引き込み口
４    光ケーブル
５    ケーブルクランプ
６    テンションメンバ
７    テンションメンバクランプ
８    パネル
９    光ファイバ心線
１１  スライドケース
１２  融着トレイ
１３  光コード
１４  フレキ管
１５  連結金具
１６  コネクタ
【図１】
0004578021.tif 000002
【図２】
0004578021.tif 000003
【図３】
0004578021.tif 000004
【図４】
0004578021.tif 000005
【図５】
0004578021.tif 000006
【図６】
0004578021.tif 000007